(57)【特許請求の範囲】
【請求項１】
複数種のカーテンウォール工法に対応可能としたカーテンウォールシステムであって、
前記カーテンウォール構造は、相対的に室外側に位置する方立部と、相対的に室内側に位置しパネル面を構成する窓部とに構造的に分離した構造とされ、
前記方立部を構成する代替可能な複数種の方立部材として単一断面構造の方立と、左右対の関係で組み合わされる分割方立との２種が予め用意されるとともに、前記窓部を構成する代替可能な複数種の窓部構成部材の内、縦枠構成部材として、単一断面構造の縦枠と、左右対の関係で組み合わされる分割縦枠との２種が予め用意され、
前記左右対の関係で組み合わされる分割縦枠が、前記単一断面構造の方立と前記左右対の関係で組み合わされる分割方立とに対して、カーテンウォール工法に応じた構造条件の下で組合せ可能とされることを特徴とするカーテンウォールシステム。
【請求項２】
前記代替可能な複数種の窓部構造部材の内、横枠構成部材として、単一断面構造の横枠と、上下対の関係で組み合わされる分割横枠との２種が用意されている請求項１記載のカーテンウォールシステム。
【発明の詳細な説明】
【０００１】
【発明の属する技術分野】
本発明は、複数種のカーテンウォール工法（構造）に容易に対応可能であるとともに、構成部品の在庫管理等を簡素化し得るカーテンウォールシステムに関する。
【０００２】
【従来の技術】
従来より、カーテンウォール工法によって建物の外壁を構築する場合、予め四周を分割方立および横枠からなる枠材にカーテンウォールパネルを組み込んだカーテンウォールユニットを順に取り付ける、所謂ユニット工法（以下、フルユニット方式スプリットマリオン工法ともいう。）と、施工場所において躯体に方立を取り付けたならば、これら方立間に無目を取り付けて開口枠を形成し、各開口にカーテンウォールパネルを取り付ける手順による、所謂ノックダウン方式とが知られている。
【０００３】
近年は、これらユニット方式とノックダウン方式との中間的な方式として、分割方立および横枠とからなるハシゴ形カーテンウォールユニットを順に取り付けた後、カーテンウォールパネルの取付けを行う、所謂ハシゴユニット方式スプリットマリオン工法と、施工場所において躯体に方立を取付けたならば、これら方立に縦枠および横枠からなる枠材にガラス、パネルなどを組み込んだ、所謂セミユニット方式バックマリオン工法とが存在する。これら２者のカーテンウォール工法は、方立を別体として躯体に先行して取付けるか否かの点から分類すると、前記ハシゴユニット方式スプリットマリオン工法はユニット工法に分類され、前記セミユニット方式バックマリオン工法はノックダウン工法に分類される。また、カーテンウォールユニットとしてパネルまで組み込んで一括で施工する点から分類すると、前記セミユニット方式バックマリオン工法はユニット工法に分類され、前記ハシゴユニット方式スプリットマリオン工法はノックダウン工法に分類される。
【０００４】
【発明が解決しようとする課題】
前記ユニット工法は、予め方立および横枠を組み立てた枠材にパネルを嵌め込んだカーテンウォールユニットを順に取り付けるものであるため、施工は効率的であるけれども、各ユニット間の取り合い及び止水構造等が複雑になるなどのデメリットがある一方、後者のノックダウン工法は、構造は簡略化されるけれども、現場で方立と横枠との連結作業、パネル嵌め込み作業等を行わなければならず、かかる作業に手間と時間が掛かるため、作業が省力化かつ効率化されないなどの問題がある。
【０００５】
また、メーカー側においても、仮に前述した４つのカーテンウォール工法にそれぞれ対応した商品を持つ場合、各工法毎にすべての形材、部品等を準備しておく必要があり、製作および管理が煩雑であるとともに、在庫管理品数が膨大となるなどの問題があった。
【０００６】
そこで本発明の主たる課題は、複数種のカーテンウォール工法に容易に対応可能であるとともに、構成部品の在庫管理等を簡素化し得るカーテンウォールシステムを提供することにある。
【０００７】
【課題を解決するための手段】
前記課題を解決するための本発明は、複数種のカーテンウォール工法に対応可能としたカーテンウォールシステムであって、
前記カーテンウォール構造は、相対的に室外側に位置する方立部と、相対的に室内側に位置しパネル面を構成する窓部とに構造的に分離した構造とされ、
前記方立部を構成する代替可能な複数種の方立部材として単一断面構造の方立と、左右対の関係で組み合わされる分割方立との２種が予め用意されるとともに、前記窓部を構成する代替可能な複数種の窓部構成部材の内、縦枠構成部材として、単一断面構造の縦枠と、左右対の関係で組み合わされる分割縦枠との２種が予め用意され、
前記左右対の関係で組み合わされる分割縦枠が、前記単一断面構造の方立と前記左右対の関係で組み合わされる分割方立とに対して、カーテンウォール工法に応じた構造条件の下で組合せ可能とされることを特徴とするものである。
【０００８】
この場合、前記代替可能な複数種の窓部構造部材の内、横枠構成部材として、単一断面構造の横枠と、上下対の関係で組み合わされる分割横枠との２種が用意されていることが望ましい。
【０００９】
【発明の実施の形態】
以下、本発明の実施の形態について図面を参照しながら詳述する。
【００１０】
本発明に係るカーテンウォール構造は、図１に示されるように、ノックダウン工法ＫＤ、ハシゴユニット方式スプリットマリオン工法ＬＵ、セミユニット方式バックマリオン工法ＢＭおよびフルユニット方式スプリットマリオン工法ＳＭの４つの工法（構造）間において、最大限に部材の共通化を図ることにより、最小限の部材変更により、複数種のカーテンウォール工法に容易に対応可能であるとともに、構成部品の在庫管理等を簡素化したカーテンウォール構造である。
【００１１】
具体的には、カーテンウォール構造は、相対的に室外側に位置する方立部と、相対的に室内側に位置しパネル面を構成する窓部とに構造的に分離した構造とされ、同図に示されるように、前記方立部に関しては、ノックダウン工法ＫＤおよびセミユニット方式バックマリオン工法ＢＭの方立を共通化するとともに、ハシゴユニット方式スプリットマリオン工法ＬＵおよびフルユニット方式スプリットマリオン工法ＳＭの方立を共通化し、一方前記窓部では、縦枠に関し、前記ハシゴユニット方式スプリットマリオン工法ＬＵ、セミユニット方式バックマリオン工法ＢＭおよびフルユニット方式スプリットマリオン工法ＳＭの縦枠を共通化するとともに、横枠に関し、セミユニット方式バックマリオン工法ＢＭおよびフルユニット方式スプリットマリオン工法ＳＭの横枠を共通化したものである。これら前記複数種の方立部材と複数種の窓部構成部材とは、カーテンウォール工法に応じた構造条件の下で任意に組合せ可能とされる。
【００１２】
以下、本システム構成の理解のために、具体的にセミユニット方式バックマリオン工法ＢＭ、フルユニット方式スプリットマリオン工法ＳＭ、ハシゴユニット方式スプリットマリオン工法ＬＵ、ノックダウン工法ＫＤの順で工法変更手順を交えながら、これらのカーテンウォール構造について詳述する。
【００１３】
〔セミユニット方式バックマリオン工法〕
セミユニット方式バックマリオン工法ＢＭに係るカーテンウォール構造は、図２に示されるように、建物壁面の外側に上下方向に間隔をおいて、水平方向に沿って配設された耐風梁（構造支持体）１、１…に対して方立支持金具によって、水平方向に間隔をおいて上下方向に沿って方立２，２…を架け渡した後、この方立２，２…を支持部材として、縦枠３Ａ、３Ｂおよび上・下横枠４Ａ、４Ｂ、図示例では中間横枠５を含んで枠状部材を構成するとともに、この枠状部材の室外面側に縦押縁６Ａ、６Ｂおよび横押縁７を取付け、ガラスＧを嵌め込んだパネルユニットＵBMを順に取り付けるようにした構造のカーテンウォールである。
【００１４】
前記方立２は、図３に示されるように、内空に隔壁を備え２つの中空室を有する断面略方形状の型材で、室内側面の両側縁部には、部材長手方向に沿って縦枠３Ａ、３Ｂに連結される突片２ａ、２ｂが形成されている。
【００１５】
前記方立２は、方立支持金具によって前記耐風梁１に支持されている。具体的には、同図３に示されるように、方立２の両側面位置に耐風梁１に跨る断面Ｌ字状の方立支持用ブラケット９を配設し、方立側フランジ９Ａ、９Ａおよび方立２を貫通して設けられる方立ボルト１０、およびナット１３により前記方立支持用ブラケット９と方立２とが連結されるとともに、耐風梁側フランジ９Ｂと耐風梁１とを貫通して設けられる固定ボルト１１、およびナット１２により前記方立支持用ブラケット９と耐風梁１とが連結される。
【００１６】
前記パネルユニットＵBMの上下方向連結境界部では、図５に示されるように、相対的に下段側方立２の上端中空部に下半部が嵌合されるとともに、上段側方立２の下端中空部に上半部が挿入された方立接合用内挿部材１４により方立２の連続性が確保されるようになっている。
【００１７】
方立２の固定が完了したならば、前記パネルユニットＵBMが取り付けられる。前記パネルユニットＵBMを構成する縦枠３Ａ、３Ｂの内、一方の縦枠３Ａは図３に示されるように、略方形断面の縦枠本体の室外側面において、その内方側にガラス支持部２０を備えるとともに、外方側に室外側に延在する押縁取付け片２１ａを備え、前記ガラス支持部２０に取り付けられるガラス支持用アタッチメント２９および前記押縁取付け片２１ａに取り付けられる縦押縁６Ａにより所定幅のガラス嵌合溝が形成され、かつ外側見込み面にはウインドバリア取付け片２２ａとレインバリア取付け片２２ｂとが形成されている。
【００１８】
他方の縦枠３Ｂも同様に、略方形断面の縦枠本体の室外側面において、その内方側にガラス支持部２０を備えるとともに、外方側に室外側に延在する押縁取付け片２１ｂを備え、前記ガラス支持部２０に取り付けられるガラス支持用アタッチメント２９および前記押縁取付け片２１ｂに取り付けられる縦押縁６Ｂにより所定幅のガラス嵌合溝が形成されるが、外側見込み面には前記ウインドバリア取付け片２２ａに係止されたウインドバリア２３が当接する突片２４ａと、前記レインバリア取付け片２２ｂに係止されたレインバリア２５が当接する突片２４ｂとが形成されている。なお、前記押縁取付け片２１ａ、２１ｂの室外側面には板状突片２６ｃ、２６ｄが設けられているとともに、後述のフルユニット方式スプリットマリオン工法ＳＭ、ハシゴユニット方式スプリットマリオン工法ＬＵにおいて、室外側に配置されている分割方立１５と連結するために、断面Ｌ字状係止片２６ａ、２６ｂが設けられている。
【００１９】
前記ガラス嵌合溝にはそれぞれ、ガラスＧが嵌合されるとともに、室内側および室外側にそれぞれ施工されたバックアップ材・シーリング材３０、３０により前記ガラスＧが支持されている。なお、前記縦枠３Ａ、３ＢはパネルユニットＵBMが隣接配置された状態で左右対の関係で組み合わされる。
【００２０】
一方、前記パネルユニットＵBMを構成する上・下横枠４Ａ、４Ｂの内、一方の上横枠４Ａは図５に示されるように、断面略方形状の横枠本体の室外側に延在して下方側に向けてガラス嵌合溝を形成するように押縁取付け用延在片３１が形成され、前記横枠本体のガラス支持部３４に設けられたガラス背面支持用ガスケット３３と、バックアップ材・シーリング材３０によってガラスＧが前記ガラス嵌合溝内に支持されている。なお、横枠本体の背面側に形成された部材長手方向に沿うボルト頭部嵌合用リップ条溝３２は、パネルユニットＵBMの室内側に方立が存在する場合に、方立との連結を図るためのものである。この場合の構造については、特願2001-85803号公報に詳述してあるため説明は省略する。
【００２１】
また、他方の下横枠４Ｂは、同図に示されるように、断面略方形状の横枠本体の室外側に延在するとともに、上方側に向けてガラス嵌合溝を形成するように押縁取付け用延在片３５が形成されている。この押縁取付け用延在片３５に取り付けられた横押縁７と、前記横枠本体のガラス支持部３６に取り付けられたガラス支持用アタッチメント３７とによって所定幅のガラス嵌合溝が設けられ、前記ガラス支持用アタッチメント３７部に設けられたバックアップ材・シーリング材３０と、前記横押縁７部に設けられたバックアップ材・シーリング材３０とによりガラスＧが前記ガラス嵌合溝内に支持されている。また、横枠本体の背面側に形成された部材長手方向に沿うボルト頭部嵌合用リップ条溝３８が形成されている。なお、前記上横枠４Ａ、下横枠４Ｂは、パネルユニットＵBMが隣接配置された状態で上下対の関係で組み合わされる。
【００２２】
他方、中間横枠５は、図４に示されるように、単一中空断面の横枠本体の室外側面に、上下段配置でそれぞれ上側ガラス用押縁取付け片４２と、下側ガラス用押縁取付け片３９とが設けられ、前記上側ガラス用押縁取付け片４２に取り付けられた横押縁７と、横枠本体に設けられたガラス支持部４３とによって所定幅の上側ガラス嵌合溝が形成されるとともに、前記下側ガラス用押縁取付け片３６と横枠本体に設けられたガラス支持部４０に取り付けられたガラス支持用アタッチメント４１とにより所定幅の下側ガラス嵌合溝が形成される。上側ガラス嵌合溝ではガラスＧが、ガラス支持部４３に設けられたガラス背面支持用ガスケット３３と、バックアップ材・シーリング材３０によって支持されているとともに、下側ガラス嵌合溝ではガラスＧが、室内側および室外側にそれぞれ施工されたバックアップ材・シーリング材３０，３０により支持されている。また、横枠本体の室内側面には、部材長手方向に沿ってボルト頭部嵌合用リップ条溝４４が設けられている。
【００２３】
前記構造のパネルユニットＵBMは、方立２の室内側面に対して連結用リベット２８，２８を用いて取り付けられる。具体的には図３に示されるように、方立２の室内側面に形成された突片２ａ、２ｂと、前記押縁取付け片２１ａ、２１ｂの室外側面に形成された板状突片２６ｃ、２６ｄとの間にライナー２７を介在させながら重ね合わせ、これらを貫通して設けられる連結用リベット２８、２８…により固定される。
【００２４】
前記パネルユニットＵBMを隣接配置した状態では、水平方向に隣接するパネルユニットＵBM間では、図３に示されるように、隣接する縦枠３Ａ、３Ｂ間においてレインバリア２５，ウインドバリア２３によって気水密性が確保されるようになっているとともに、上下方向に隣接パネルユニット間ＵBM間では、図５に示されるように、シールパッキン４５により気水密性が確保されるようになっている。
【００２５】
一方、目地交点部では、隣接する上・下横枠４Ａ、４Ｂ間においては、上横枠４Ａの上面側に気密バリヤ４６を一体的に備えるレインバリア４７が配設され、このレインバリア４７の舌片が下横枠４Ｂの下面に接触することにより、およびこれの室内側位置において、さらに気密バリヤ４８を一体的に備えるウインドバリア４９を設けることにより、目地交点部から雨水等が浸入するのを確実に防止するようになっている。前記レインバリア４７、ウインドバリア４９は水平方向に隣接するパネルユニットＵBMの上横枠４Ａ、４Ａ間に跨って所定の区間長に亘って配設される。
【００２６】
〔フルユニット方式スプリットマリオン工法〕
フルユニット方式スプリットマリオン工法ＳＭに係るカーテンウォール構造は、方立を左右の分割構造とし、分割方立を一体的に備える縦枠３Ａ、３Ｂ、上・下横枠４Ａ、４Ｂおよび中間横枠５によって枠状部材を構成するとともに、この枠状部材の室外面側に縦押縁６Ａ、６Ｂおよび横押縁７を取付けるとともに、ガラスＧを嵌め込んだパネルユニットＵSMを順に、建物壁面の外側に上下方向に間隔をおいて、水平方向に沿って配設された耐風梁１、１…に対して方立支持金具（方立支持用ブラケット９）によって取り付けるようにした構造のカーテンウォールである。
【００２７】
前述のセミユニット方式バックマリオン工法ＢＭに係るカーテンウォール構造を本フルユニット方式スプリットマリオン工法ＳＭに係るカーテンウォール構造に変更するには、図６に示されるように、方立２の変更のみで対応できるようになっている。具体的には同図に示されるように、単一断面構造の前記方立２に代えて、左右対の分割方立１５Ａ、１５Ｂからなり、左右の関係で組み合わされ一体を成す分割方立１５が使用される。
【００２８】
一方側の分割方立１５Ａは、略方形状の中空断面を成し、対向面の室外側位置には凹部１５ａが形成されているとともに、室内側の面には部材長手方向に沿って板状突片１５ｂ、Ｌ字状突片１５ｃが夫々形成されている。他方の分割方立１５Ｂも同様に、略方形状の中空断面を成し、対向面の室外側位置には突片１５ｄが形成され、室内側の面には部材長手方向に沿って板状突片１５ｆ、Ｌ字状突片１５ｅが夫々形成されている。
【００２９】
前記分割方立１５Ａを縦枠３Ａの室外側面に一体的に組み付けるには、前記分割方立１５Ａの室内側面に形成されたＬ字状突片１５ｃを縦枠３Ａの室外側面に形成された断面Ｌ字状係止片２６ａに係止するとともに、分割方立１５Ａの室内側面に形成された板状突片１５ｂを押縁取付け片２１ａの室外側面に形成された板状突片２６ｃと重ね合わせ、両者を貫通する連結リベット２８，２８…によって連結を図る。なお、この連結部には縦方向に沿ってカバー材５０が取り付けられている。
【００３０】
一方の分割方立１５Ｂを縦枠３Ｂの室外側面に一体的に組み付ける場合も同様に、前記分割方立１５Ｂの室内側面に形成されたＬ字状突片１５ｅを押縁取付け片２１ｂの室外側面に形成された断面Ｌ字状係止片２６ｂに係止するとともに、分割方立１５Ｂの室内側面に形成された板状突片１５ｆを押縁取付け片２１ｂの室外側面に形成された板状突片２６ｄと重ね合わせ、両者を貫通する連結リベット２８，２８…によって連結を図る。この連結部にも縦方向に沿ってカバー材５０が取り付けられる。
【００３１】
前述した以外の構造部分、具体的に縦枠３Ａ、３Ｂ、上・下横枠４Ａ、４Ｂ、中間横枠５、縦押縁６Ａ、６Ｂ、横押縁７等については、前記セミユニット方式バックマリオン工法ＢＭの場合と全く同様であるため、同符号を付して説明は省略する。
【００３２】
以上の、分割方立１５Ａ、１５Ｂを含みながら構成されたパネルユニットＵSMは建物壁面の耐風梁１に対して方立支持金具（方立支持用ブラケット９）により順に取り付けられる。具体的には、同図７に示されるように、分割方立１５Ａ、１５Ｂに予めボルト軸部を外面に突出させて方立ボルト１７Ａ、１７Ｂを固設しておき、方立２の両側面位置に耐風梁１に跨る断面Ｌ字状の方立支持用ブラケット９を配設し、方立側フランジ９Ａの通孔に前記方立ボルト１７Ａ、１７Ｂの軸部を通しナット１３により締結するとともに、耐風梁側フランジ９Ｂと耐風梁１とを貫通して設けられる固定ボルト１１、およびナット１２により前記方立支持ブラケット９と耐風梁１とを連結する。
【００３３】
前記パネルユニットＵSMの上下方向連結境界部では、図９に示されるように、相対的に下段側方立１５の上端中空部に下半部が嵌合されるとともに、上段側方立１５の下端中空部に上半部が挿入された方立接合用内挿部材１６Ａ、１６Ｂにより方立１５、１５の連続性が確保されるようになっている。
【００３４】
〔ハシゴユニット方式スプリットマリオン工法〕
ハシゴユニット方式スプリットマリオン工法ＬＵに係るカーテンウォール構造は、方立を左右の分割構造とし、分割方立を一体的に備える縦枠３Ａ、３Ｂ、上下二段の中間横枠５によって構成されるハシゴ形の面材をパネルユニットＵLUとして順に、建物壁面の外側に上下方向に間隔をおいて、水平方向に沿って配設された耐風梁１、１…に対して方立支持金具（方立支持用ブラケット９）によって取り付けた後、枠状部材の室外面側に縦押縁６Ａ、６Ｂおよび横押縁７を取付けるとともに、ガラスＧを嵌め込み固定するようにした構造のカーテンウォールである。
【００３５】
前記フルユニット方式スプリットマリオン工法ＳＭに係るカーテンウォール構造を本ハシゴユニット方式スプリットマリオン工法ＬＵのカーテンウォール構造に変更するには、図１０に示されるように、上・下横枠４Ａ、４Ｂを単一断面構造の横枠、具体的には前記セミユニット方式バックマリオン工法ＢＭおよびフルユニット方式スプリットマリオン工法ＳＭに係るカーテンウォール構造において、中間横枠５として用いた横枠に変更するのみで足りる。これ以外の構造部分、具体的に分割方立１５，縦枠３Ａ、３Ｂ、縦押縁６Ａ、６Ｂ、横押縁７等については、前記フルユニット方式スプリットマリオン工法ＳＭの場合と同様であるため、同符号を付して説明は省略する。
【００３６】
分割方立１５Ａ、１５Ｂを含みながら構成された前記パネルユニットＵLUを耐風梁１に対し方立支持金具（方立支持用ブラケット９）により順に取り付けたならば、縦枠３Ａ、３Ｂおよび中間横枠５，５に縦押縁６Ａ、６Ｂおよび横押縁７を取付けるとともに、ガラス支持用アタッチメント２９，３７，４３を取り付けた後、縦枠３Ａ、３Ｂおよび中間横枠５，５によって囲まれた枠内に対して、ガラスＧを嵌め込み、ガラスＧを間に挟んで室内側および室外側にそれぞれ施工されるバックアップ材・シーリング材３０またはガラス背面支持用ガスケット３３により支持するようにする。
【００３７】
〔ノックダウン工法〕
ノックダウン工法ＫＤに係るカーテンウォール構造は、建物壁面の外側に配設された耐風梁１，１…に対して方立支持金具（方立支持用ブラケット９）によって、水平方向に間隔をおいて上下方向に沿って方立２，２…を架け渡した後、前記方立２，２の室内側面に縦枠１８を取り付けるとともに、上下方向に所定の間隔で横枠（無目）を架け渡して窓部開口枠を構成し、この開口枠の室外側に横押縁７を取付け、ガラスＧを嵌め込むようにした構造のカーテンウォールである。
【００３８】
前記ハシゴユニット方式スプリットマリオン工法に係るカーテンウォール構造を本ノックダウン工法に係るカーテンウォール構造に変更するには、分割方立１５、縦枠３Ａ、３Ｂおよび縦押縁６Ａ、６Ｂを変更する。
【００３９】
具体的には、図１４に示されるように、前記分割方立１５に代えて単一断面構造の方立２を使用するとともに、図１５に示されるように、前記縦枠３Ａ、３Ｂおよび縦押縁６Ａ、６Ｂに代えて左右両側に夫々ガラス嵌合溝を形成するようにした縦枠１８を使用する。
【００４０】
より詳しく説明すると、前記方立２は、前記セミユニット方式バックマリオン工法ＢＭにおいて使用した方立２がそのまま使用される。また、前記縦枠１８は、方立２の室内側面に取り付けられる断面Ｔ字状を成す背面連結部材５１、この背面連結部材５１に連結リベット５４，５４…によって連結される断面逆Ｔ字状を成す縦枠本体５２、およびこれら背面連結部材５１および縦枠本体５２の両側に夫々取り付けられ、ガラス背面側を支持するためのガラス支持部５３ａ、５３ｂを有する側枠５３Ａ、５３Ｂとから構成されるもので、ノックダウン工法ＫＤのために専用で使用される部材である。
【００４１】
施工に当たっては、図１６に示されるように、方立２、２…の室外側面に対して前記縦枠本体５２を連結リベット５５，５５により固定するとともに、背面連結部材５１を連結リベット５４，５４によって固定する。そして、前記縦枠本体５２の中間横枠５，５配設部位の両側にそれぞれ横枠支承金具５６，５６を取り付け、これら横枠支承金具５６，５６間に横架させるようにして中間横枠５，５を取り付ける。その後、前記背面連結部材５１、縦枠本体５２の両側にそれぞれ側枠５３Ａ、５３Ｂを取り付けて、ガラス嵌合溝を構成する。
【００４２】
こうして、方形枠状のガラス嵌合溝が形成されたならば、横押縁７を取付け、ガラスＧを嵌め込むとともに、ガラス支持用アタッチメント２９，４１，４３を取り付けるとともに、室内側および室外側にそれぞれ施工されるバックアップ材・シーリング材３０またはガラス背面支持用ガスケット３３により支持するようにする。なお、本ノックダウン工法ＫＤの施工においては、効率化のために、前記方立２、縦枠本体５２，背面連結部材５１を予め工場出荷時に一体組みしておき、この一体組みユニットを耐風梁１に取付けるようにしてもよい。
【００４３】
以上、セミユニット方式バックマリオン工法ＢＭ、フルユニット方式スプリットマリオン工法ＳＭ、ハシゴユニット方式スプリットマリオン工法ＬＵ、ノックダウン工法ＫＤの順で工法変更手順を交えながら、これらのカーテンウォール構造について詳述したが、本構造に係るカーテンウォールシステムの場合には、経年後にカーテンウォールの一部を同工法のカーテンウォールはもちろんのこと、異工法のカーテンウォールにより補修または外装表面材の取替えが可能となる。このリニューアル時の便宜のために、本カーテンウォール構造では特に、図１９に示されるように、横枠の室内側において、横枠に設けられた蓋板係止具６０と、額縁本体６１とに跨って開口自在の蓋板６２が取り付けられ、前記横枠が封鎖されるようになっている構造において、前記蓋板６２は額縁本体６１との固定に用いられているボルト６３を取り除いた後、前記蓋板係止具６０を回転中心として開いたとき、横枠部分が露出するようになっており、内装仕上げ材（膳板、ブラインドボックス、腰壁等）を破壊する必要なく、容易にリニューアル工事が行えるようになっている。
【００４４】
また、本カーテンウォールシステムにおいては、代替可能な複数種の方立部材と、前記窓部を構成する代替可能な複数種の窓部構成部材とが相互に嵌め合い可能であるとともに、異なる工法間で横枠同士が相互に嵌め合い可能となっているため、１つの建物の壁面内で異なる工法のユニットまたは部材を組み合わせて壁面を構成することが可能になる。具体的には、図２０に示されるように、カーテンウォールの水平方向へはセミユニット方式バックマリオン工法ＢＭ、フルユニット方式スプリットマリオン工法ＳＭ、ハシゴユニット方式スプリットマリオン工法ＬＵの３種類の中で任意の組み合わせが可能とされる。この際、方立２を使用するセミユニット方式バックマリオン工法ＢＭと、分割方立１５を使用するフルユニット方式スプリットマリオン工法ＳＭおよびハシゴユニット方式スプリットマリオン工法ＬＵとの境界部では、前記セミユニット方式バックマリオン工法ＢＭ側の方立として例外的に分割方立１５Ａを用いるようにすればよい。
【００４５】
また、図２１に示されるように、カーテンウォールの縦方向へはセミユニット方式バックマリオン工法ＢＭ、フルユニット方式スプリットマリオン工法ＳＭ、ハシゴユニット方式スプリットマリオン工法ＬＵ、ノックダウン工法ＫＤのすべての工法間で任意の組み合わせが可能とされる。この際、中間横枠５を使用するハシゴユニット方式スプリットマリオン工法ＬＵおよびノックダウン工法ＫＤと、分割される上・下横枠４Ａ、４Ｂを使用するセミユニット方式バックマリオン工法ＢＭおよびフルユニット方式スプリットマリオン工法ＳＭとの境界部では、ハシゴユニット方式スプリットマリオン工法ＬＵ、ノックダウン工法ＫＤ側の横枠として例外的に下横枠４Ｂを用いるようにすればよい。
【００４６】
【発明の効果】
以上詳説のとおり本発明によれば、複数種のカーテンウォール工法に容易に対応可能であるとともに、構成部品の在庫管理等を簡素化し得るようになる。また、部材の共通化により、同一建物の中で工法変更を容易に行い得るようになるとともに、リニューアル時においても、外装表面材の貼り替えが可能となり、省力化を可能とする。
【図面の簡単な説明】
【図１】  本カーテンウォールのシステム構成説明図である。
【図２】  本カーテンウォールの姿図である。
【図３】  セミユニット方式バックマリオン工法ＢＭにおける水平横断面図（図１のIII−III線矢視図）である。
【図４】  セミユニット方式バックマリオン工法ＢＭにおける中間横枠部縦断面図（図１のIV−IV線矢視図）である。
【図５】  セミユニット方式バックマリオン工法ＢＭにおける上・下横枠部縦断面図（図１のV−V線矢視図）である。
【図６】セミユニット方式バックマリオン工法からフルユニット方式スプリットマリオン工法へ変更する場合の部材変更図である。
【図７】  フルユニット方式スプリットマリオン工法における水平横断面図（図１のVII−VII線矢視図）である。
【図８】  フルユニット方式スプリットマリオン工法における中間横枠縦断面図（図１のVIII−VIII線矢視図）である。
【図９】  フルユニット方式スプリットマリオン工法における上・下横枠縦断面図（図１のIX−IX線矢視図）である。
【図１０】  フルユニット方式スプリットマリオン工法からハシゴユニット方式スプリットマリオン工法へ変更する場合の部材変更図である。
【図１１】  ハシゴユニット方式スプリットマリオン工法における水平横断面図（図１のXI-XI線矢視図）である。
【図１２】  ハシゴユニット方式スプリットマリオン工法における中間横枠縦断面図（その１）（図１のXII-XII線矢視図）である。
【図１３】  ハシゴユニット方式スプリットマリオン工法における中間横枠縦断面図（その２）（図１のXIII-XIII線矢視図）である。
【図１４】  ハシゴユニット方式スプリットマリオン工法からノックダウン工法へ変更する場合の部材変更図（その１）である。
【図１５】  ハシゴユニット方式スプリットマリオン工法からノックダウン工法へ変更する場合の部材変更図（その２）である。
【図１６】  ノックダウン工法における水平横断面図（図１のXVI-XVI線矢視図）である。
【図１７】  ノックダウン工法における中間横枠縦断面図（その１）（図１のXVII-XVII線矢視図）である。
【図１８】  ノックダウン工法における中間横枠縦断面図（その２）（図１のXVIII-XVIII線矢視図）である。
【図１９】  本カーテンウォールシステムにおける内装仕上げ状態を示す断面図である。
【図２０】  水平方向への異なるカーテンウォール工法の組み合わせ要領図である。
【図２１】  縦方向への異なる工法の組み合わせ要領図である。
【符号の説明】
１…耐風梁（構造支持材）、ＢＭ…セミユニット方式バックマリオン、ＳＭ…フルユニット方式スプリットマリオン、ＬＵ…ハシゴユニット方式スプリットマリオン、ＫＤ…ノックダウン、２…方立、３Ａ・３Ｂ…縦枠、４Ａ…上横枠、４Ｂ…下横枠、５…中間横枠、６Ａ・６Ｂ…縦押縁、７…横押縁、９…方立支持用ブラケット、１５…分割方立、１８…縦枠
【図１】
0003849847.tif 000002
【図２】
0003849847.tif 000003
【図３】
0003849847.tif 000004
【図４】
0003849847.tif 000005
【図５】
0003849847.tif 000006
【図６】
0003849847.tif 000007
【図７】
0003849847.tif 000008
【図８】
0003849847.tif 000009
【図９】
0003849847.tif 000010
【図１０】
0003849847.tif 000011
【図１１】
0003849847.tif 000012
【図１２】
0003849847.tif 000013
【図１３】
0003849847.tif 000014
【図１４】
0003849847.tif 000015
【図１５】
0003849847.tif 000016
【図１６】
0003849847.tif 000017
【図１７】
0003849847.tif 000018
【図１８】
0003849847.tif 000019
【図１９】
0003849847.tif 000020
【図２０】
0003849847.tif 000021
【図２１】
0003849847.tif 000022